(57)【要約】【課題】本発明は、カバー装置部の外観と携帯情報端末機器の外観との調和をとれることが可能であり、また、カバー装置部の開閉機能に故障したりカバー装置部の一部に傷が生じたとしても、当該カバー装置部の復旧を低コスト・低作業で行うことが可能な携帯情報端末機器を提供する。【解決手段】本発明の一形態によれば、携帯情報端末機器１００は、コネクタ部１、カバー装置部２とを備えている。コネクタ部１は、外部機器２００の端子部１２と電気的に接続される。カバー装置部２は、蓋部２ｂを有している。さらにカバー装置部２において蓋部２ｂは、外力が加わると、蓋部２ｂが内部に移動することによりコネクタ部１を開蓋し、外力が開放されると、コネクタ部１を閉蓋する。また、カバー装置部２は、携帯情報端末機器に対して着脱自在である。【選択図】  図５
2007142515.tif 000002
【特許請求の範囲】
【請求項１】
本体内に固定配置され、外部機器の端子部と電気的に接続されるコネクタ部と、
蓋部を有しており、前記蓋部に外力が加わると、前記蓋部が内部に移動することにより前記コネクタ部が開蓋され、前記外力が開放されると、前記コネクタ部を前記蓋部が閉蓋するカバー装置部とを、備える携帯情報端末機器において、
前記カバー装置部は、
前記本体に対して着脱自在に装着されている、
ことを特徴とする携帯情報端末機器。
【請求項２】
前記蓋部に対して取り付け可能な化粧板を、さらに備えている、
ことを特徴とする請求項１に記載の携帯情報端末機器。
【請求項３】
前記カバー装置部は、
前記本体内部に配設されている内部構造物と着脱自在である、
ことを特徴とする請求項１または請求項２に記載の携帯情報端末機器。
【請求項４】
前記内部構造物は、
前記コネクタ部である、
ことを特徴とする請求項３に記載の携帯情報端末機器。
【請求項５】
前記カバー装置部は、
前記本体の筐体部と着脱自在である、
ことを特徴とする請求項１または請求項２に記載の携帯情報端末機器。
【請求項６】
前記蓋部の外観色は、
前記携帯情報端末機器の外観色と略同一である、
ことを特徴とする請求項１に記載の携帯情報端末機器。
【請求項７】
前記蓋部が前記コネクタを閉蓋している状態において、前記蓋部は、
前記携帯情報端末機器の外形と略連続的な形状を有している、
ことを特徴とする請求項１に記載の携帯情報端末機器。
【請求項８】
本体内に固定配置され、外部機器の端子部と電気的に接続されるコネクタ部と、
蓋部を有しており、前記蓋部に外力が加わると、前記蓋部が内部に移動することにより前記コネクタ部が開蓋され、前記外力が開放されると、前記コネクタ部を前記蓋部が閉蓋する、前記コネクタ部に固定されているカバー装置部と、
前記蓋部に対して取り付け可能な化粧板とを、備えている、
ことを特徴とする携帯情報端末機器。
【請求項９】
前記化粧板の外観色は、
前記携帯情報端末機器の外観色と略同一である、
ことを特徴とする請求項２または請求項８に記載の携帯情報端末機器。
【請求項１０】
前記蓋部が前記コネクタを閉蓋している状態において、前記化粧板は、
前記携帯情報端末機器の外形と略連続的な形状を有している、
ことを特徴とする請求項２または請求項８に記載の携帯情報端末機器。
【請求項１１】
前記化粧板は、
前記蓋部に対して着脱自在である、
ことを特徴とする請求項２または請求項８に記載の携帯情報端末機器。
【発明の詳細な説明】
【技術分野】
【０００１】
この発明は、携帯情報端末機器に係る発明であり、特に、外部機器の端末部と電気的に接続されるコネクタ部と、当該コネクタ部を閉蓋することができるカバー部とを有する携帯情報端末機器に関する。
【背景技術】
【０００２】
携帯情報端末機器には、外部機器の端子部と電気的に接続するコネクタ部が形成されている。そして、当該端子部と当該コネクタ部との未接続時において、当該コネクタ部に塵等が付着することを防止するために、カバー部が形成されている（たとえば、特許文献１）。
【０００３】
特許文献１に係わる技術では、カバー部が携帯情報端末機器に接続された状態で当該携帯情報端末機器の外側に開くことにより、コネクタ部の開蓋を行っている。
【０００４】
しかしこれでは、上記コネクタと外部機器の端子との接続時において、当該カバー部が邪魔になることがあった。または、当該カバー部の逃がし部を外部機器側に設置する必要性がある場合もあった。外部機器に当該逃がし部を設置した場合には、当該外部機器は大型化してしまう。
【０００５】
これらの問題を解決する技術として、蓋部を有しており、当該蓋部に外力が加わると、当該蓋部が内部に移動することによりコネクタ部が開蓋され、外力が開放されると、コネクタ部を当該蓋部が閉蓋するカバー装置部を備える携帯情報端末機器が考えられる（たとえば、特許文献２）。
【０００６】
【特許文献１】特開２００３−３３１９７８号公報
【特許文献２】特開２００５−１０８５９６号公報
【発明の開示】
【発明が解決しようとする課題】
【０００７】
上記カバー装置部を備える携帯情報端末機器において、当該カバー装置部がコネクタ部に固定（一体化）されている場合には、当該コネクタ部は主に筐体部とは別途作成されるため、カバー装置部の外観と携帯情報端末機器の外観とが異なり得る。
【０００８】
また、当該カバー装置部がコネクタ部に固定（一体化）されている場合において、当該カバー装置部の開閉機構が壊れた場合、または、カバー装置部を構成する蓋部に傷が生じた場合には、コネクタ部全体を取り替える必要がある。当該作業には、費用も労力も多く要する。
【０００９】
そこで、本発明は、上記カバー装置部を備える携帯情報端末機器において、当該カバー装置部の外観と携帯情報端末機器の外観との調和をとれることが可能であり、また、前記カバー装置部の開閉機能に故障したりカバー装置部の一部に傷が生じたとしても、当該カバー装置部の復旧を低コスト・低作業で行うことが可能な携帯情報端末機器を提供することを目的とする。
【課題を解決するための手段】
【００１０】
上記の目的を達成するために、本発明に係る請求項１に記載の携帯情報端末機器は、本体内に固定配置され、外部機器の端子部と電気的に接続されるコネクタ部と、蓋部を有しており、前記蓋部に外力が加わると、前記蓋部が内部に移動することにより前記コネクタ部が開蓋され、前記外力が開放されると、前記コネクタ部を前記蓋部が閉蓋するカバー装置部とを、備える携帯情報端末機器において、前記カバー装置部は、前記本体に対して着脱自在に装着されている。
【００１１】
また、請求項８に記載の携帯情報端末機器は、本体内に固定配置され、外部機器の端子部と電気的に接続されるコネクタ部と、蓋部を有しており、前記蓋部に外力が加わると、前記蓋部が内部に移動することにより前記コネクタ部が開蓋され、前記外力が開放されると、前記コネクタ部を前記蓋部が閉蓋する、前記コネクタ部に固定されているカバー装置部と、前記蓋部に対して取り付け可能な化粧板とを、備えている。
【発明の効果】
【００１２】
本発明の請求項１に記載の携帯情報端末機器は、本体内に固定配置され、外部機器の端子部と電気的に接続されるコネクタ部と、蓋部を有しており、前記蓋部に外力が加わると、前記蓋部が内部に移動することにより前記コネクタ部が開蓋され、前記外力が開放されると、前記コネクタ部を前記蓋部が閉蓋するカバー装置部とを、備える携帯情報端末機器において、前記カバー装置部は、前記本体に対して着脱自在に装着されている。したがって、カバー装置部の開蓋・閉蓋機能に支障が生じたとしても、当該カバー装置部のみを取り替えれば当該開蓋・閉蓋機能を回復することができる。よって、カバー装置部２の復旧を低コスト・低作業で行うことができる。また、カバー装置部の交換が可能なことから、色彩・形態等の意匠面から当該カバー装置部を自由に選択・取り付けすることができる。したがって、たとえば上述のように、携帯情報端末機器の外観と調和のとれたカバー装置部を選択し、これを取り付けた場合には、当該取り付け状態において携帯情報端末機器の意匠が損なわれることが防止できる。
【００１３】
また、請求項８に記載の携帯情報端末機器は、本体内に固定配置され、外部機器の端子部と電気的に接続されるコネクタ部と、蓋部を有しており、前記蓋部に外力が加わると、前記蓋部が内部に移動することにより前記コネクタ部が開蓋され、前記外力が開放されると、前記コネクタ部を前記蓋部が閉蓋する、前記コネクタ部に固定されているカバー装置部と、前記蓋部に対して取り付け可能な化粧板とを、備えている。したがって、化粧板の取り付け可能なことから、色彩・形態等の意匠面から当該化粧板を自由に選択・取り付けすることができる。したがって、携帯情報端末機器の外観と調和のとれた化粧板を選択し、これを取り付けた場合には、当該取り付け状態において携帯情報端末機器の意匠が損なわれることが防止できる。
【発明を実施するための最良の形態】
【００１４】
以下、この発明をその実施の形態を示す図面に基づいて具体的に説明する。
【００１５】
＜実施の形態１＞
本実施の形態に係わる携帯情報端末機器を、図１ないし図５を用いて具体的に説明する。
【００１６】
ここで、図１は、携帯情報端末機器（本体と把握できる）１００のコネクタ部１と卓上型の外部接続ユニット（以下、外部機器と称する）２００の端子部１２とが電気的に接続されている様子を、側方から見た断面図である。また図２は、外部機器２００のプラグ部１１が携帯情報端末機器１００のコネクタ部１に嵌合されようとする様子を示す断面図である。また図３は、当該プラグ部１１の端子部１２と当該コネクタ部１の端子部４とが接続された様子を示す断面図である。また図４、当該プラグ部１１をコネクタ部１から引き抜いた後の様子を示す断面図である。また図５は、携帯情報端末機器１００（具体的には、コネクタ部１）に対してカバー装置部２が着脱される様子を示す斜視図である。
【００１７】
図１に示すように、携帯情報端末機器１００は、コネクタ部１、カバー装置部２、プリント配線基板３および端子部４等を備えている。また、外部機器２００は、プラグ部１１および端子部１２等を備えている。
【００１８】
携帯情報端末機器１００と外部機器２００の接続の際には、上記コネクタ部１に上記プラグ１１が嵌合させる。
【００１９】
コネクタ部１は、図１，３に示すように、外部機器２００の端子部１２と電気的に接続される。コネクタ部１は、携帯情報端末機器１００の内部に配設（付属）されているプリント配線基板３に、リフロー実装されている。また、コネクタ部１には、端子部４が配設（付属）されている。以上の説明から分かるように、コネクタ部１は、携帯情報端末機器（本体）１００内に固定配置され、また外部機器２００の端子部１２と電気的に接続される。
【００２０】
図１，４等に示すように、カバー装置部２は、本体部２ａ、蓋部２ｂおよび弾性部材から成る蝶番部２ｃから構成されている。たとえば図４に示すように、本体部２ａと蓋部２ｂとが蝶番部２ｃを介して接続されている。当該構成から分かるように、蓋部２ｂは、本体部２ａに対して、蝶番部２ｃを軸として回動可能である。
【００２１】
当該構成において、カバー装置部２を構成する蓋部２ｂには、外力（当該外力は、蝶番部２ｃを構成する弾性体の弾性力以上である）が加わる（図２参照）。つまり、蓋部２ｂに対してソケット１１を押し当てる（図２参照）。すると、蓋部２ｂは、蝶番部２ｃを軸とした回動により、携帯情報端末機器１００内部に移動する（図２，３参照）。そして、コネクタ部１にプラグ部１１が完全に嵌合させられると、蓋部２ｂが略９０°回動し、コネクタ部１が開蓋される（図３参照）。そして、コネクタ部１の端子部４とプラグ部１１の端子部１２とが、電気的に接続される（図３参照）。さらに、プラグ部１１がコネクタ部１から引き抜かれるまで、当該状態が保持される。以上が、携帯情報端末機器１００と外部機器２００との接続動作である。
【００２２】
これに対して、上述した外力が開放されると（つまり、携帯情報端末機器１００と外部機器２００とを引き離すと）、蓋部２ｂは、蝶番部２ｃの弾性体の弾性力の復元に従い回動を開始する。そして、コネクタ部１に対してプラグ部１１が完全に離脱されると、コネクタ部１を蓋部２ｂが閉蓋する（図４参照）。以上が、携帯情報端末機器１００と外部機器２００とを引き離す動作である（未接続）。なお、当該蓋部２ｂによるコネクタ部１の閉蓋により、コネクタ部１（より詳しくは端子部４）への塵等の異物の侵入を防止することができる。
【００２３】
当該カバー装置部２の構成により、蓋部２ｂによるコネクタ部１の開蓋・閉蓋機構が可能となる。
【００２４】
また、カバー装置部２は、携帯情報端末機器１００に対して着脱自在である。本実施の形態では、図５に示すように、カバー装置部２は、コネクタ部１と着脱自在である。
【００２５】
カバー装置部２には、二つの係止部２ｄが形成されている。ここで、係止部２ｄの先端部には凸部２ｅが形成されている。一方、コネクタ部１には、前記係止部２ｄを導く溝部１ａと、前記係止部２ｄが係り止まる凹部１ｂが形成されている。
【００２６】
カバー装置部２をコネクタ部１に装着させるときには、係止部２ｄを溝部１ａに沿って、その装着方向にスライドさせる。そして、係止部２ｄの先端部の凸部２ｅが凹部１ｂに到達すると、凸部２ｅが凹部１ｂにおいて係り止まる（カバー装置部２の装着）。
【００２７】
これに対して、カバー装置部２をコネクタ部１から離脱させるときには、係止部２ｄの凸部２ｅを少し持ち上げ、当該凸部２ｅの凹部１ｂに対する係り止めを解消する。そして、当該解消状態において、カバー装置部２をコネクタ部１から引き離す（カバー装置部２の離脱）。
【００２８】
なお、蓋部２ｂの外観色は、携帯情報端末機器１００の外観色と略同一である。さらに、蓋部２ｂがコネクタ部１を閉蓋している状態において、蓋部２ｂは、携帯情報端末機器１００の外形と略連続的な形状を有している。つまり、カバー装置部２がコネクタ部１に装着されている状態において、カバー装置部２の外観が携帯情報端末機器１００の外観と調和がとれている。
【００２９】
また、図１ないし５および上述説明からも明らかなように、プラグ部１１は、外部機器２００に形成されており、コネクタ部１と嵌合させられる部分である。また、端子部１２は、プラグ部１１に付属されており、コネクタ部１に付属している端子部４と電気的に接続される部分である。
【００３０】
本実施の形態に係わる携帯情報端末機器１００は以上のように構成されているので、プリント配線基板３に対してリフロー実装されたコネクタ部１に対して、当該コネクタ部１の開蓋・閉蓋機能を有するカバー装置部２を、自由に着脱することができる（つまり、カバー装置部２のカスタム化が可能）。
【００３１】
したがって、当該カバー装置部２の開蓋・閉蓋機能に支障が生じたとしても、当該カバー装置部２のみを取り替えれば当該開蓋・閉蓋機能を回復することができる。よって、カバー装置部２の復旧を低コスト・低作業で行うことができる。
【００３２】
また、上記のようにカバー装置部２の交換が容易なことから、色彩・形態等の意匠面から当該カバー装置部２を自由に選択・取り付けすることができる。したがって、たとえば上述のように、携帯情報端末機器１００の外観と調和のとれたカバー装置部２を選択し、これを取り付けた場合には、当該取り付け状態において携帯情報端末機器１００の意匠が損なわれることが防止できる。
【００３３】
さらに、当該カバー装置部２の外観を自由に選択できるので、カバー装置部２およびこれの取り付け可能な携帯情報端末機器１００のユーザの購買意欲を増大させることもできる。
【００３４】
また、蓋部２ｂの上記コネクタ部１の閉蓋により、外部機器２００との未接続時において当該コネクタ部１が露出することが無くなる。したがって、コネクタ部１に塵等の異物が進入することも防止できる。
【００３５】
また、本実施の形態に係わる携帯情報端末機器１００では、コネクタ部１の開蓋状態において蓋部２ｂが携帯情報端末機器１００の外部に存在しない。したがって、携帯情報端末機器１００と外部機器２００との接続時に、当該蓋部２ｂが邪魔になることも無い。また、外部機器２００に当該蓋部２ｂを逃がすために逃がし部を形成する必要が無いので、当該外部機器２００の大型化も防止できる。
【００３６】
また、コネクタ部１に対する防塵のために、当該コネクタ部１用のキャップを作成しても良い。ここで、当該キャップは手作業でコネクタ部１に着脱され、当該キャップを外した場合には、当該キャップは携帯情報端末機器から完全に離脱される。
【００３７】
したがって、当該キャップを採用した場合には、キャップの紛失が多発し、またキャップの取り外しには手作業を要する。
【００３８】
これに対して、本実施の形態に係わる携帯情報端末機器１００を採用した場合には、コネクタ部１に対するソケット部１１の嵌合・離脱作業と共に、蓋部２ｂが自動的に開閉されるので、上記手作業は不要である。また、蓋部２ｂは、開閉のいずれの状態においてもカバー装置部２を介して携帯情報端末機器１００に付随するので、蓋部２ｂが紛失することも無い。
【００３９】
なお、カバー装置部２が破損した場合でも、当該カバー装置部２をコネクタ部１から取り外しせば、支障なくコネクタ部１へのソケット部１１の嵌合はできる。
【００４０】
また、上記では、カバー装置部２がコンタクト部１に対して着脱可能である構成について言及した。しかし、これに限る趣旨では無い。
【００４１】
たとえば、図６に示すように、カバー装置部２が、携帯情報端末機器１００を構成する筐体部（外装ケース）１００ａと着脱自在であっても良い。図６から分かるように、カバー装置部２の係止部２ｄが筐体部１００ａの一部である壁部１００ｄに係り止まる、あるいは当該係り止めを解除することにより、カバー装置部２は筐体部１００ａに対して着脱可能となる。
【００４２】
また、図７，８に示すように、カバー装置部２が、携帯情報端末機器１００内部に配設されている内部構造物（図７，８では、内部フレーム１００ｂ，１００ｃ）と着脱自在であっても良い。なお、カバー装置部２の着脱方法は、図６の場合と同様である。
【００４３】
＜実施の形態２＞
本実施の形態に係わる携帯情報端末機器は、実施の形態１に係わる携帯情報端末機器と比較して、カバー装置部の構成において異なる。以下、本実施の形態に係わる携帯情報端末機器（特にカバー装置部）を、図９ないし図１３を用いて具体的に説明する。
【００４４】
ここで、図９は、カバー装置部２０の構成を示す断面図である。また図１０は、外部機器２００のプラグ部１１が携帯情報端末機器１００のコネクタ部１に嵌合されようとする様子を示す断面図である。また図１１は、当該プラグ部１１の端子部１２と当該コネクタ部１の端子部４とが接続された様子を示す断面図である。また図１２、当該プラグ部１１をコネクタ部１から引き抜いた後の様子を示す断面図である。また図１３は、カバー装置部２０の蓋部２０ａに対して化粧板２５が取り付けられる様子を示す斜視図である。
【００４５】
本実施の形態では、図９〜１２に示すようにカバー装置部２０は、蓋部２０ａと弾性部材２０ｂとから構成されている。弾性部材２０ｂの一端はコネクタ部１に固定されており、その他端は蓋部２０ａに接続されている。また、図９〜１２に示すようにカバー装置部２０は、コネクタ部１に固定されている（つまり、カバー装置部２０は、コネクタ部１に付属している）。また、図９〜１３に示すように、蓋部２０ａには、化粧板２５が取り付けられている。
【００４６】
蓋部２０ａに対して外力（当該外力は、弾性体２０ｂの弾性力以上である）を加える（図１０参照）。つまり、化粧板２５を介して蓋部２０ａに対してソケット１１を押し当てる（図１０参照）。すると、弾性体２０ｂは、ソケット１１の押し当て方向（コンタクト部１への挿入方向）に沿って収縮し、蓋部２０ｂは携帯情報端末機器１００内部に移動する（図１０参照）。そして、コネクタ部１にプラグ部１１が完全に嵌合させられると、コネクタ部１の端子部４とプラグ部１１の端子部１２とが、電気的に接続される（コネクタ部１に対する蓋部２０ａの開蓋と把握できる。図１１参照）。なお、プラグ部１１がコネクタ部１から引き抜かれるまで、当該状態が保持される。以上が、携帯情報端末機器１００と外部機器２００との接続動作である。
【００４７】
これに対して、上述した外力が開放されると（つまり、携帯情報端末機器１００と外部機器２００とを引き離すと）、弾性体２０ｂの弾性力の復元に従い、蓋部２０ａはコンタクト部１内から携帯情報端末機器１００の外側に向かって移動を開始する。そして、コネクタ部１に対してプラグ部１１が完全に離脱されると、コネクタ部１を蓋部２０ａが閉蓋する（図１２参照）。以上が、携帯情報端末機器１００と外部機器２００とを引き離す動作である（未接続）。
【００４８】
上記蓋部２０ａによるコネクタ部１の開蓋・閉蓋動作が可能なように、本実施の形態に係わるカバー装置部２０は構成されている。なお、当該蓋部２０ａによるコネクタ部１の閉蓋により、コネクタ部１（より詳しくは端子部４）への塵等の異物の侵入を防止することができる。
【００４９】
また、図１３に示すように、カバー装置部２０の蓋部２０ａには、化粧板２５が取り付けられる。化粧板２５には、二つの係止部２５ａが形成されている。一方、蓋部２０ａには、二つの凹部２０ｃが形成されている。当該係止部２５ａが当該凹部２０ｃに係り止められることにより、化粧板２５は蓋部２０ａに取り付けられる。当該化粧板２５は、蓋部２０ａに対して着脱自在である。
【００５０】
また、化粧板２５の外観色は、携帯情報端末機器１００の外観色と略同一である。さらに、蓋部２０ａがコネクタ部１を閉蓋している状態において、化粧板２５は、携帯情報端末機器１００の外形と略連続的な形状を有している。つまり、化粧板２５が蓋部２０ａに装着されている状態において、カバー装置部２０の外観が携帯情報端末機器１００の外観と調和がとれている。
【００５１】
なお、その他の携帯情報端末機器１００および外部機器２００の構成は、実施の形態１に係わるそれらと同じである。したがって、その他の構成については、ここでの詳細な説明は省略する。
【００５２】
本実施の形態に係わる携帯情報端末機器１００は以上のように構成されているので、プリント配線基板３に対してリフロー実装されたコネクタ部１に付属している蓋部２０ａに対して、化粧板２５を自由に着脱することができる（つまり、化粧板２５のカスタム化が可能）。
【００５３】
ここで、もし化粧板２５が取り付けられていなければ、蓋部２０ａ自体が、プラグ１１との接触等により傷みが生じてしまう。当該傷みの発生した蓋部２０ａを交換する場合、コネクタ部１およびカバー装置部２０を共に交換しなければならない。これは、コネクタ部１とカバー装置部２０とが一体だからである。当該カバー装置部２０等の交換は高コストであり、作業も困難性を有する。
【００５４】
これに対して、本実施の形態では、プラグ１１との接触等により傷みが生じるのは、化粧板２５である。そして、当該化粧板２５を取り替えるだけで、当該傷みが無い状態に戻すことができる。当該化粧板２５の交換は、低コスト・低作業で行うことができる。
【００５５】
また、上記のように化粧板２５の交換が容易なことから、色彩・形態等の意匠面から当該化粧板２５を自由に選択・取り付けすることができる。したがって、たとえば上述のように、携帯情報端末機器１００の外観と調和のとれた化粧板２５を選択し、これを取り付けた場合には、当該取り付け状態において携帯情報端末機器１００の意匠が損なわれることが防止できる。
【００５６】
さらに、当該カバー装置部２０の外観部分である化粧板２５を自由に選択できるので、化粧板２５およびこれの取り付け可能なカバー装置部２０を有する携帯情報端末機器１００のユーザの購買意欲を増大させることもできる。
【００５７】
また、蓋部２０ａの上記コネクタ部１の閉蓋により、外部機器２００との未接続時において当該コネクタ部１が露出することが無くなる。したがって、コネクタ部１に塵等の異物が進入することも防止できる。
【００５８】
また、本実施の形態に係わる携帯情報端末機器１００では、コネクタ部１の開蓋状態において蓋部２０ａが携帯情報端末機器１００の外部に存在しない。したがって、携帯情報端末機器１００と外部機器２００との接続時に、当該蓋部２０ａが邪魔になることも無い。また、外部機器２００に当該蓋部２０ａを逃がすために逃がし部を形成する必要が無いので、当該外部機器２００の大型化も防止できる。
【００５９】
また、実施の形態１と同様、本実施の形態に係わる携帯情報端末機器１００を採用した場合には、コネクタ部１に対するソケット部１１の嵌合・取り外し作業と共に、蓋部２０ａが自動的に開閉されるので、キャップを採用した場合の当該キャップの取り外し等の手作業は不要である。また、蓋部２０ａは、開閉のいずれの状態においてもカバー装置部２０を介して携帯情報端末機器１００に付随するので、蓋部２０ａが紛失することも無い。
【００６０】
なお、化粧板２５と蓋部２０ａに取り付けなくても、支障なくコネクタ部１へのソケット部１１の嵌合はできる。
【００６１】
また、化粧板２５の蓋部２０ａへの取り付け方法は、上記の方法に限る必要は無い。たとえば、図１４に示すように、両面テープ２８を介して、化粧板２５を蓋部２０ａに取り付けても良い。なお、図１４に示す場合には、化粧板２５と蓋部２０ａとの位置合わせのために、化粧板２５には突起２５ｆが形成されおり、蓋部２０ａおよび両面テープ２８には当該突起２５ｆが挿入される穴２０ｆおよび穴２８ｆが各々形成されている。
【００６２】
また、化粧板２５の蓋部２０ａへの取り付けは、接着剤を用いて行っても良い。
【００６３】
また、上記では、カバー装置部２０がコンタクト部１に対して固定されている構成について言及した。しかし、これに限る趣旨では無い。たとえば、実施の形態１と同様に、カバー装置部２０は、コネクタ部１に対して着脱自在であっても良い（図示せず）。
【００６４】
また、図１５に示すように、カバー装置部２０が、携帯情報端末機器１００を構成する筐体部（外装ケース）１００ａと着脱自在であっても良い。図１５から分かるように、カバー装置部２０の係止部２０ｄが筐体部１００ａの一部である壁部１００ｄに係り止まる、あるいは当該係り止めを解除することにより、カバー装置部２０は筐体部１００ａに対して着脱可能となる。なお、カバー装置２０が筐体１００ａに取り付けられた状態の側面断面図を図１６に示す。ここで、図１６では、形態情報端末機器１００は外部機器２００と接続されている。
【００６５】
また、図１７，１８に示すように、カバー装置部２０が、携帯情報端末機器１００内部に配設されている内部構造物（図１７，１８では、内部フレーム１００ｂ，１００ｃ）と着脱自在であっても良い。なお、カバー装置部２０の着脱方法は、図１５の場合と同様である。
【００６６】
また、実施の形態１において、蓋部２ｂに対して化粧板を取り付けても良い。さらに、当該化粧板は、蓋部２ｂ対して着脱自在であっても良い。ここで、当該場合には、上記実施の形態２で説明したように、色彩・形態等の面において当該化粧板が携帯情報端末機器１００の外観と調和がとれていることが望ましい。
【００６７】
なお、本発明に係わる携帯情報端末機器１００は、たとえば携帯通信機器、携帯電子遊戯機器、携帯電子機器等の端末機器に利用できる。
【図面の簡単な説明】
【００６８】
【図１】実施の形態１に係わる携帯情報端末機器の内部構成および、当該携帯情報端末機器と外部機器との接続の様子を側方から見た断面図である。
【図２】実施の形態１に係わるカバー装置部の開蓋・閉蓋の動作を説明するための断面図である。
【図３】実施の形態１に係わるカバー装置部の開蓋・閉蓋の動作を説明するための断面図である。
【図４】実施の形態１に係わるカバー装置部の開蓋・閉蓋の動作を説明するための断面図である。
【図５】コネクタ部に対してカバー装置部を取り付ける方法を説明するための斜視図である。
【図６】筐体部に対してカバー装置部を取り付ける方法を説明するための斜視図である。
【図７】内部構造物に対してカバー装置部を取り付ける方法を説明するための斜視図である。
【図８】内部構造物に対してカバー装置部を取り付ける方法を説明するための斜視図である。
【図９】実施の形態２に係わるカバー装置部の構成を示す拡大断面図である。
【図１０】実施の形態２に係わるカバー装置部の開蓋・閉蓋の動作を説明するための断面図である。
【図１１】実施の形態２に係わるカバー装置部の開蓋・閉蓋の動作を説明するための断面図である。
【図１２】実施の形態２に係わるカバー装置部の開蓋・閉蓋の動作を説明するための断面図である。
【図１３】蓋部に対して化粧板を取り付ける方法を説明するための斜視図である。
【図１４】蓋部に対して化粧板を取り付ける他の方法を説明するための斜視図である。
【図１５】筐体部に対してカバー装置部を取り付ける方法を説明するための斜視図である。
【図１６】筐体部に対してカバー装置部を取り付けた様子および、携帯情報端末機器と外部機器との接続の様子を側方から見た断面図である。
【図１７】内部構造物に対してカバー装置部を取り付ける方法を説明するための斜視図である。
【図１８】内部構造物に対してカバー装置部を取り付ける方法を説明するための斜視図である。
【符号の説明】
【００６９】
１  コネクタ部、１ａ  溝部、１ｂ，２０ｃ  凹部、２，２０  カバー装置部、２ａ  本体部、２ｂ，２０ａ  蓋部、２ｃ  蝶番部、２ｄ，２５ａ  係止部、２ｅ  凸部、３  プリント配線基板、４  端子部、１１  プラグ部、１２  端子部、２０ｂ  弾性部材、２５  化粧板、１００  携帯情報端末機器、１００ａ  筐体部、１００ｂ，１００ｃ  内部フレーム、２００  外部機器。
【図１】
2007142515.tif 000003
【図２】
2007142515.tif 000004
【図３】
2007142515.tif 000005
【図４】
2007142515.tif 000006
【図５】
2007142515.tif 000007
【図６】
2007142515.tif 000008
【図７】
2007142515.tif 000009
【図８】
2007142515.tif 000010
【図９】
2007142515.tif 000011
【図１０】
2007142515.tif 000012
【図１１】
2007142515.tif 000013
【図１２】
2007142515.tif 000014
【図１３】
2007142515.tif 000015
【図１４】
2007142515.tif 000016
【図１５】
2007142515.tif 000017
【図１６】
2007142515.tif 000018
【図１７】
2007142515.tif 000019
【図１８】
2007142515.tif 000020